(57)【要約】【課題】  携帯端末を接続したＰＣのディスプレイの数に応じて有効に使用する。【解決手段】  個人用携帯機器１０は、サービサー１６から提供される情報を含む画面を表示する１又は複数のディスプレイ１２を有する任意のＰＣ１１に接続可能であり、接続されるＰＣが持つディスプレイの数に応じて、接続されるサービサー情報を記憶手段に格納する。個人用携帯機器１０をあるＰＣ１１に接続した時に、ＰＣが持つディスプレイの数に応じた、携帯端末の記憶手段に格納されているサービサー情報に従って、該当するサービサー１６１〜１６４と接続し、あるサービサーから提供される情報を含む画面を１又は複数のディスプレイ１２に表示する。【選択図】  図１
2008242978.tif 000002
【特許請求の範囲】
【請求項１】
サービス情報を提供するサービサーと、該サービサーに接続されるＰＣと、該ＰＣに接続される携帯端末を含み、該サービサーから提供される情報を含む画面を該ＰＣのディスプレイに表示する画面制御システムであって、
該ＰＣは、該サービサーから提供される情報を含む画面を表示する１又は複数のディスプレイを有し、
該携帯端末は、任意の該ＰＣに接続可能であって、接続される該ＰＣが持つディスプレイの数に応じて、接続されるサービサー情報を格納する記憶手段を有し、かつ、
該携帯端末を該ＰＣに接続した時に、該ＰＣが持つディスプレイの数に応じた、該携帯端末の該記憶手段に格納されているサービサー情報に従って、該当する該サービサーと接続し、該サービサーから提供される情報を含む画面を１又は複数のディスプレイに表示することを特徴とする画面制御システム。
【請求項２】
前記記憶手段は、耐タンパ領域を有し、ログイン名及びパスワードを含む前記サービサー情報を該耐タンパ領域に格納することを特徴とする請求項１の画面制御システム。
【請求項３】
前記ＰＣが既に該サービサーと接続されているときに、該携帯端末の該記憶手段に格納されている該サービサー情報を選択し、選択された該サービサー情報に関連する該サービサーと接続して、該サービサーから得られた画面を該ディスプレイに表示することを特徴とする請求項１または２の画面制御システム。
【請求項４】
前記サービサーは、それぞれ異なるワークを提供する複数のサービサーであり、
前記携帯端末の該記憶手段は、該ＰＣに接続されたディスプレイの数に応じて画面に表示すべきワーク名を示す、複数の組をサービサー情報として格納することを特徴とする請求項１乃至３のいずれかの画面制御システム。
【請求項５】
前記携帯端末は、該ＰＣが接続できるサービサーを特定するサービサー名及び該サービサーが提供するワーク名とを保持するワークメニューと、
該ＰＣに接続されたディスプレイの数に応じて、画面に表示すべきワーク名を保持するワークセットとを含む前記サービサー情報を、該記憶手段に格納することを特徴とする請求項４の画面制御システム。
【請求項６】
サービス情報を提供するサービサーと、該サービサーに接続され、かつ任意の数のディスプレイが接続されたＰＣと、該ＰＣに接続される携帯端末を含むシステムにおいて、該サービサーから提供される情報を含む画面を該ＰＣのディスプレイに表示する画面制御方法であって、
該ＰＣに接続されるディスプレイの数に応じて、該ＰＣに接続されるサービサーに関する情報（サービサー情報）を記憶手段に格納した該携帯端末を任意の該ＰＣに接続するステップと、
該携帯端末を該ＰＣに接続した時に、該ＰＣが持つディスプレイの数に応じた、該携帯端末の該記憶手段に格納されているサービサー情報に従って、該当する該サービサーと該ＰＣを接続するステップと、
該サービサーから提供される情報を含む画面を、該ＰＣに接続された１又は複数のディスプレイに表示するステップと、
を有することを特徴とする画面制御方法。
【請求項７】
該携帯端末が該ＰＣに接続された後、前記記憶手段に格納されたログイン名及びパスワードを用いて、該ＰＣに接続された携帯端末の利用者が正当か否かを判定することを特徴とする請求項６の画面制御方法。
【請求項８】
前記ＰＣが既に該サービサーと接続されているときに、該携帯端末の該記憶手段に格納されている該サービサー情報を選択し、選択された該サービサー情報に関連する該サービサーと接続して、該サービサーから得られた画面を該ディスプレイに表示することを特徴とする請求項６または７の画面制御方法。
【請求項９】
前記サービサーは、それぞれ異なるワークを提供する複数のサービサーであり、
前記携帯端末の該記憶手段に、該ＰＣに接続されたディスプレイの数に応じて画面に表示すべきワーク名を示す、複数の組をサービサー情報として格納することを特徴とする請求項６乃至８のいずれかの画面制御方法。
【請求項１０】
前記携帯端末は、該ＰＣが接続できるサービサーを特定するサービサー名及び該サービサーが提供するワーク名とを保持するワークメニューと、
該ＰＣに接続されたディスプレイの数に応じて、画面に表示すべきワーク名を保持するワークセットとを含む前記サービサー情報を、該記憶手段に格納することを特徴とする請求項８の画面制御方法。
【請求項１１】
サービス情報を提供する複数のサービサーと、該サービサーに接続され、かつ任意の数のディスプレイが接続されたＰＣと、該ＰＣに接続される携帯端末を含むシステムにおいて、該サービサーから提供される情報を含む画面を該ＰＣのディスプレイに表示する画面制御方法であって、
該ＰＣに接続されるディスプレイの数に応じて、該ＰＣに接続されるサービサーのワークに関する情報（サービサー情報）を記憶手段に格納した該携帯端末を任意の該ＰＣに接続するステップと、
該ＰＣで使えるディスプレイの画面数を調べるステップと、
該記憶手段に格納された該サービサー情報を参照して、ディスプレイの画面数に応じたワークの組を選択するステップと、
選択されたワークの組みから１つの組を選択するステップと、
選択された組の各ワークに対応する１又は複数のサービサーと、該ＰＣを接続するステップと、
該サービサーから提供される情報を含む画面を、該ＰＣに接続された１又は複数のディスプレイに表示するステップと、
を有することを特徴とする画面制御方法。
【発明の詳細な説明】
【技術分野】
【０００１】
本発明は画面制御システム及び方法に係り、特にサービス情報を提供するサーバと接続されるクライアントＰＣ（パーソナルコンピュータ）に、携帯端末を接続して利用するサーバクライアントシステムにおける表示画面制御に関する。
【背景技術】
【０００２】
情報漏えい防止の観点や、安定したサービスを利用するために、クライアント端末からサーバに接続し、接続したサーバ上で各種業務を行う情報処理システムが知られている。
この種のシステムの１つとして、例えば、特許文献１（特開２００５−２３５１５９公報）に開示されているような、サーバクライアントシステムでは、サーバ側に主なプログラムやデータを蓄積し、例えばＴｈｉｎ Ｃｌｉｅｎｔ（シンクライアント）のようなクライアント側に蓄積するデータを低減させている。
【０００３】
また、マイクロソフト社のリモートデスクトップというソフトウェアにおいては、クライアントＰＣからサーバのＰＣに接続し、サーバ上でデスクトップ環境やその上のアプリケーションを動かし、クライアントＰＣでは画面や入力などの操作のみを行うことが出来る。また、Ｗｅｂブラウザを用いてサーバのホームページに接続し、そこで各種アプリケーションを利用することも行われつつある。
【０００４】
SmartCode VNC Manager（SmartCode Solutions社の商品名）などの製品においては、特定のクライアントＰＣにインストールすることで、そのＰＣから設定したサーバにリモートデスクトップを利用して接続して利用することが出来る。また、そのＰＣに複数のディスプレイが繋がっており、予め指定しておけば、複数のサーバに同時に接続してそれらをそれぞれの画面に表示することが出来る。
【０００５】
また、個人用携帯機器にサーバへの接続情報を入れ、その個人用携帯機器を接続したＰＣから格納されている接続情報に基づいてサーバに接続し、ＰＣ上で利用する方法もある。
【０００６】
【特許文献１】特開２００５−２３５１５９公報
【発明の開示】
【発明が解決しようとする課題】
【０００７】
上記SmartCode VNC Managerは、特定のクライアントＰＣから操作することを前提としているため、そのＰＣに繋がっているディスプレイの数などを最大限に利用することが出来る。しかしながら、その設定は異なるＰＣに移しても有効であるとは限らない。一方、個人用携帯機器にサーバへの接続情報を入れる方式では異なるＰＣに接続するため、個人用携帯機器を接続するＰＣに繋がっているディスプレイの数は予め想定することはできない。そのため、複数のディスプレイが繋がっているＰＣに個人用携帯機器を接続しても、有効に利用できないことがある。
【０００８】
本発明の目的は、携帯端末を用いてサーバを利用する場合に、携帯端末を接続したＰＣのディスプレイの数に応じて有効に使用することができる画面制御システム及びその方法を提供することにある。
【課題を解決するための手段】
【０００９】
本発明は、携帯端末内にディスプレイ数に応じて接続されるサーバ情報の組を持ち、携帯端末を接続したＰＣのディスプレイ数を調べた上でその数に応じたサーバ情報を選択し、その情報に応じてそれぞれのサーバと接続して各ディスプレイに画面表示するものである。
【００１０】
本発明に係る画面制御システムは、好ましくは、サービス情報を提供するサービサーと、サービサーに接続されるＰＣと、ＰＣに接続される携帯端末を含み、サービサーから提供される情報を含む画面をＰＣのディスプレイに表示する画面制御システムであって、
ＰＣは、サービサーから提供される情報を含む画面を表示する１又は複数のディスプレイを有し、
携帯端末は、任意のＰＣに接続可能であって、接続されるＰＣが持つディスプレイの数に応じて、接続されるサービサー情報を格納する記憶手段を有し、かつ、
携帯端末をＰＣに接続した時に、ＰＣが持つディスプレイの数に応じた、携帯端末の記憶手段に格納されているサービサー情報に従って、当するサービサーと接続し、サービサーから提供される情報を含む画面を１又は複数のディスプレイに表示することを特徴とする画面制御システムとして構成される。
【００１１】
好ましい例では、前記記憶手段は、耐タンパ領域を有し、ログイン名及びパスワードを含む前記サービサー情報を耐タンパ領域に格納する。
また、好ましくは、前記ＰＣが既にサービサーと接続されているときに、携帯端末の記憶手段に格納されているサービサー情報を選択し、選択されたサービサー情報に関連するサービサーと接続して、サービサーから得られた画面をディスプレイに表示する。
また、好ましくは、前記サービサーは、それぞれ異なるワークを提供する複数のサービサーであり、前記携帯端末の記憶手段は、ＰＣに接続されたディスプレイの数に応じて画面に表示すべきワーク名を示す、複数の組をサービサー情報として格納する。
また、好ましくは、前記携帯端末は、ＰＣが接続できるサービサーを特定するサービサー名及びサービサーが提供するワーク名とを保持するワークメニューと、ＰＣに接続されたディスプレイの数に応じて、画面に表示すべきワーク名を保持するワークセットとを含む前記サービサー情報を、記憶手段に格納する。
【００１２】
本発明に係る画面制御方法は、好ましくは、サービス情報を提供するサービサーと、サービサーに接続され、かつ任意の数のディスプレイが接続されたＰＣと、ＰＣに接続される携帯端末を含むシステムにおいて、サービサーから提供される情報を含む画面をＰＣのディスプレイに表示する画面制御方法であって、
ＰＣに接続されるディスプレイの数に応じて、ＰＣに接続されるサービサーに関する情報（サービサー情報）を記憶手段に格納した携帯端末を任意のＰＣに接続するステップと、
携帯端末をＰＣに接続した時に、ＰＣが持つディスプレイの数に応じた、携帯端末の記憶手段に格納されているサービサー情報に従って、当するサービサーとＰＣを接続するステップと、
サービサーから提供される情報を含む画面を、ＰＣに接続された１又は複数のディスプレイに表示するステップと、を有する画面制御方法として構成される。
【発明の効果】
【００１３】
本発明によれば、ディスプレイ数に応じた接続すべきサーバ情報を予め携帯端末内に格納しておき、携帯端末を接続したＰＣのディスプレイ数に応じたサーバと接続し、使用するＰＣのディスプレイを有効に利用することが出来る。
【発明を実施するための最良の形態】
【００１４】
以下、本発明の実施例を、図面に基づいて説明する。
図１は、一実施例による画面制御システムの全体構成を示す。
このシステムは、複数のクライアントＰＣ（単にＰＣという）１１１〜１１３（これらを纏めて１１と示すことがある）が、ネットワークを介して複数のサービサー１６１〜１６４（これらを纏めて１６と示すことがある）に接続して構成される。
【００１５】
複数のサービサー１６は、ＰＣ１１のデスクトップ環境及びそこで実行されるアプリケーションや、Ｗｅｂのホームページとしての各種アプリケーションや、メインフレームなどレガシーシステムを提供する。各サービサー１６は、アプリケーションに関するサービス情報を提供するための画面を作成し、その画面を関係するＰＣ１１へ送信する。この例では、各サービサー１６１〜１６４はそれぞれ、登録、検索、ＯＡ、及び調査の各ワーク処理を行い、それらの処理情報を含む画面を構成してＰＣ１１へ送る。
なお、これらのサービサー１６は複数のサーバで構成してもよいし、或いは１台のサーバに、それぞれのワークを処理するアプリケーションを備えるように構成してもよい。
【００１６】
各ＰＣ１１は、ＣＰＵ及びメモリを有し、かつキーボード１３１〜１３３、及び１又は複数のディスプレイ１２１、１２２〜１２３、１２４〜１２６が接続されている。また、これらのＰＣ１１には、それぞれ個人携帯機器１０１〜１０３（これらを纏めて１０と示すことがある）がＵＳＢ等を介して接続される。個人携帯機器１０は、同様にしてＣＰＵ及びメモリ等を有する。
【００１７】
本実施例において、個人用携帯機器１０は、ＰＣ１１１，１１２，１１３のいずれにも接続可能である。個人用携帯機器１０が接続されたＰＣ１１は、個人用携帯機器１０１が持つ情報に基づき、サービサー１６の何れかと接続し、ＰＣ１１が有するディスプレイに、サービサー１６から送信されたサービス情報を含む画面を表示する。ＰＣ１０２に接続される個人用携帯機器１０１は、複数のサービサー１６の１つと接続して、ディスプレイ１２１にサービス情報を表示する。ＰＣ１１２に接続される個人用携帯機器１０２は、複数のサービサー１６の２つと接続して、ディスプレイ１２２，１２３にサービス情報を表示する。同様にして、ＰＣ１０９に接続される個人用携帯機器１０３は、複数のサービサー１６の３つと接続して、ディスプレイ１２４，１２５，１２６にサービス情報を表示する。
【００１８】
次に、図２を参照して、個人用携帯機器１０の諸機能について説明する。
個人用携帯機器１０は、個人認証機能２０１、ワークメニュー２０２、ワークセット２０５を備える。これらは、ＣＰＵでプログラムが実行されることでその機能が実現されるか、或いはメモリに展開されて実現される。
【００１９】
個人認証機能２０１は、その個人用携帯機器１０を使用する者が正当な利用者であることを認証する機能であり、利用者のアカウント及びパスワードを保持する。ワークメニュー２０２は、この個人用携帯機器１０を接続したＰＣ１１が接続し得る、１又は複数のサービサー１６を指定する。ワークメニュー２０２の内、２０３には操作者が認識できるようなワーク名が保持され、２０４にはＰＣ１１が接続できるサービサーを特定するサービサー名が保持される。
【００２０】
ワークセット２０５は、個人用携帯機器１０を接続したＰＣ１１に接続しているディスプレイの数に応じて、接続及び表示すべきワーク名を保持する。２０６にはディスプレイの数である画面数、２０７〜２０９にはそれぞれの画面数に応じて接続及び表示するワーク名が保持される。この例では、画面数２０６が１つのものはワーク名２０７が「登録用」の１種のみである。また、画面数２０６が２つのものは、ワーク名２０７，２０８がそれぞれ「登録用」と「検索用」、「ＯＡ用」と「調査用」、「検索用」と「調査用」、の３種である。また、また、画面数２０６が３つのものは、「ＯＡ用」と「検索用」と「調査用」の１種のみである。なお、この例のように、同じ画面数の場合が複数あってもよく、また画面数に抜けた数のものが存在していてもよい。
【００２１】
次に、図３のフローチャートを参照して、各ディスプレイに表示するワークを選択する処理動作について説明する。
この処理は、プログラムがＰＣ１１のＣＰＵ及び個人用携帯機器１０のＣＰＵで実行されることによって行われる。
まず、個人認証機能２０１によって、個人携帯機器１０の利用者が正当か否かを判定する（Ｓ３０１）。この判定は、利用者が入力するパスワードやアカウントが予め登録された正当な本人のものと一致するか否かによって行う。この判定の結果、正当な利用者でなければ、以後の処理を行なわず、処理を終了する。
【００２２】
次に、ＰＣ１１で使えるディスプレイの画面数を調べる。例えば、ＰＣ１１２であれば２つのディスプレイであり、ＰＣ１１３であれば３つである（Ｓ３０２）。次に、ワークセット２０５を参照して、その中から画面数に応じたワーク名の組を全て選ぶ。例えば、ＰＣ１１１であれば「登録用」の１組が選ばれ、ＰＣ１１２であれば「登録用」と「検索用」、「ＯＡ用」と「調査用」、「検索用」と「調査用」の３組が選択の対象となる（Ｓ３０３）。
【００２３】
次に、選んだワーク名の組が１つかどうかを判断する。ＰＣ１１１のように１つであればその組を選択し、ＰＣ１１２にように複数組みあれば、ステップＳ３０５で別途選択する（Ｓ３０４）。
選ばれた組の各ワーク名に対応するサービサー１６１〜１６４のいずれかと接続し、各ディスプレイに表示する。例えば、ＰＣ１１１であれば、「登録用」が選ばれたものであり、ワークメニュー２０２を参照して、サービサーがＳＶ０１であることを確認して、サービサー（ＳＶ０１）１６１に接続し、提供される画面をディスプレイ１１２に表示する（Ｓ３０６）。
【００２４】
ステップＳ３０５において、利用者は、画面に表示された複数のワーク名の組から１つを選択することができる。例えばＰＣ１１２の場合、上位の組である「登録用」と「検索用」が選択されたとする。その場合、Ｓ３０６において、サービサー（ＳＶ０１）１６１と接続して、その画面をディスプレイ１２２に表示し、サービサー（ＳＶ０２）１６２と接続して、その画面をディスプレイ１２３に表示する。
【００２５】
次に、ポップアップメニューの画面表示例について説明する。
図４は、Ｓ３０５で実行された、ワークセットを選択するポップアップメニュー４０１の画面表示例を示す。
上述したように、ＰＣ１１２の場合、Ｓ３０３では、（Ａ）「登録用」と「検索用」、（Ｂ）「ＯＡ用」と「調査用」、（Ｃ）「検索用」と「調査用」の３組が選択され、それらがポップアップメニュー４０１にワークセット４０２として表示される。利用者は、対話的に選択することにより、いずれかの組を選択することができる。
因みに、図１０及び図１１に、ＯＡ処理において使用される表示画面１１０１、及び検索用に使用される表示画面１１０１の例を示す。
【００２６】
図５は、新たにワークを選択するポップアップメニューの表示例である。
ＰＣ１１１のディスプレイ１２１にサービサー１６１が接続されている場合を考える。利用者は、ＰＣ１１１に対してキーボード１３１から所定の操作を行うと、ポップアップメニュー５０１が表示される。そこには、サービサー１６１にワークメニュー２０２にて対応しているワーク名「登録用」が現在表示中である旨、明示されている。更に、ワーク名５０２は、ワークメニュー２０２に登録されている全てのワーク名２０３が表示されている。利用者はワーク名５０２から１つを選択する。選ばれたワーク名に対応した１つのサービサーがワークメニュー２０２から選択され、ＰＣ１１１はその選択されたサービサーに接続される。そして選択された新たなワーク名がディスプレイ１２に表示される。
【００２７】
図６は、新たに表示するワークセットを選択するポップアップメニューの他の例である。
ＰＣ１１２において、ディスプレイ１２２にサービサー１６１が接続し、ディスプレイ１２３にサービサー１６２が接続している場合を考える。利用者は、ＰＣ１１２に対してキーボード１３２から所定の操作を行うと、ポップアップメニュー６０１が表示される。そこには、サービサー１６１と１６２にワークメニュー２０２にて対応しているワーク名「登録用」と「検索用」が現在の表示されている旨、明示されている。更に、ワークセット６０２は、ワークセット２０５に登録されている全てのワーク名２０７〜２０９の組が表示される。利用者がワークセット６０２から１つの組を選択すると、その組に対応する２つのサービサーがディスプレィ１２２と１２３を接続される。
なお、新たなワークを選択するための操作は、ＰＣ１１２に接続されている２つのディスプレイ１２２，１２３についてそれぞれ独立的に行うことができる。
【００２８】
図７は、他の実施例による、ワークとの接続にログインが必要な場合の個人用携帯機器の例である。
ワークメニュー２０２には、ワーク名２０３とそのサービサー２０４に加え、サービサーに接続するその必要なログイン名７０２とパスワード７０３が設定される。ここで、ワークメニュー２０２はパスワード７０３のような機密情報を含むため、外部から不用意に読み取れないように耐タンパ領域７０１に格納される。同様にして、個人認証機能２０１も機密情報を持つために、耐タンパ領域７０１に格納される。
利用者は、サービサー１６１〜１６４に接続する時には、ログイン名７０２とパスワード７０３を用いてまずログインしてから行う。
【００２９】
図８は、ワークを登録するポップアップメニューの例である。
これは、ポップアップメニュー８０１を用いてワークに関する幾つかの設定を行う場合に使用される。設定されたワークの内容は個人用携帯機器１０のメモリに格納される。
例えば、ワーク名領域８０２で指定されたワーク名は、ワークメニュー２０２のワーク名２０３に格納される。サーバアドレス領域８０３で指定されたサービサーはサービサー２０４に格納される。自動ログイン可否領域８０４によってサービサーとの接続時に自動ログインするか否かの指定を行う。
【００３０】
自動ログイン可否領域８０４で、「自動ログインする」が指定されない場合は、ログイン名領域８０５とパスワード８０６における指定は有効とならない。一方、「自動ログインする」旨が指定された場合は、ログイン名領域８０５においてサーバアドレス８０３で指定したサービサーへのログイン名を指定し、それはワークメニュー２０２のログイン名７０２に格納される。また、パスワード領域８０６では、サーバアドレス８０３で指定したサービサーへ８０５で指定したログイン名を使うときのパスワードを指定し、それはワークメニュー２０２のパスワード７０３に格納される。上記の格納動作は、登録ボタン８０７が操作された時に行なわれ、キャンセルボタン８０８が操作された時には行われない。
【００３１】
図９は、ワークセットを登録するポップアップメニューの例である。ＰＣ１１において特定の操作を行うことにより、ポップアップメニュー９０１が表示される。ポップアップメニュー９０１には、現在表示しているサービサーのワーク名が表示されている。この例では、現在、「ＯＤ用」と「検索用」が使用中である旨表示されている。利用者は、登録ボタン９０１を操作すると、ワークセット２０５に画面数とワーク名の組が格納される。
【００３２】
以上述べたような本実施例によれば、使用するＰＣで使えるディスプレイの数に応じて、個人用携帯機器に登録してあるサービサーと容易に接続することができ、環境に応じて使用することが出来る。また、それらの設定及び変更も容易に行うことが出来る。
【図面の簡単な説明】
【００３３】
【図１】一実施例における画面制御システムの構成を示す図、
【図２】一実施例における個人用携帯機器の構成を示す図、
【図３】各ディスプレイに表示するワークを選択する処理動作を示すフローチャート、
【図４】ワークセットを選択するポップアップメニューの画面表示例を示す図、
【図５】新たにワークを選択するポップアップメニューの画面表示例を示す図、
【図６】新たに表示するワークセットを選択するポップアップメニューの画面表示例を示す図、
【図７】ワークとの接続にログインが必要な場合の個人用携帯機器の構成を示す図、
【図８】ワークを登録するポップアップメニューの画面表示例を示す図、
【図９】ワークセットを登録するポップアップメニューの画面表示例を示す図、
【図１０】ＯＡ処理用の画面表示例を示す図、
【図１１】検索用の画面表示例を示す図。
【符号の説明】
【００３４】
１０、１０１〜１０３：個人用携帯機器、  １１、１１１〜１１３：ＰＣ、  １３１〜１３３：キーボード、  １２１〜１２６：ディスプレイ、  １６，１６１〜１６４：サービサー、  ２０１：個人承認機能、  ２０２：ワークメニュー、  ２０５：ワークセット、  
【図１】
2008242978.tif 000003
【図２】
2008242978.tif 000004
【図３】
2008242978.tif 000005
【図４】
2008242978.tif 000006
【図５】
2008242978.tif 000007
【図６】
2008242978.tif 000008
【図７】
2008242978.tif 000009
【図８】
2008242978.tif 000010
【図９】
2008242978.tif 000011
【図１０】
2008242978.tif 000012
【図１１】
2008242978.tif 000013